(57)【特許請求の範囲】
【請求項１】
入口部と出口部とが設けられた中空の形状を有し、前記入口部から塵埃を含む空気が導入され、空気が内部で旋回することで空気から塵埃が遠心分離され、塵埃と分離された空気が前記出口部から排出される旋回室と、
前記旋回室の前記内部に配置され、前記旋回室の前記内部で旋回する空気によって吹き上げられることで前記旋回室の前記内部で浮遊しながら旋回する吸着体と、
前記吸着体を帯電させる静電気発生部と、を備え、
前記静電気発生部は、前記旋回室の内壁面の少なくとも一部を構成しており、
前記静電気発生部は、前記旋回室の前記内部で旋回する前記吸着体に接触することで、前記吸着体を帯電させる、
集塵装置。
【請求項２】
前記旋回室の内壁面と前記吸着体とは、互いに逆極性に帯電している、
請求項１に記載の集塵装置。
【請求項３】
前記静電気発生部に電圧を印加することで、前記静電気発生部を任意の極性に帯電させる電圧印加装置をさらに備える、
請求項１または２に記載の集塵装置。
【請求項４】
前記吸着体は、多孔質構造、格子状構造、または表面が粗面化された構造を有している、
請求項１から３のいずれか１項に記載の集塵装置。
【発明の詳細な説明】
【技術分野】
【０００１】
本発明は、集塵装置に関する。
【背景技術】
【０００２】
遠心分離を活用した集塵装置は、電気掃除機等として用いられている。塵埃を含む空気を集塵装置が吸い込んだのち、遠心分離により、空気から塵埃が分離される。空気と塵埃とを分離させる能力は、従来の紙パック方式に比べて、遠心分離方式の方が低い。遠心分離で捕集されなかった微細な塵埃は下流へと流れるため、微細な塵埃を集塵するためには、フィルター等を別途設ける必要がある。
【０００３】
特許第５１３００１２号公報（特許文献１）には、集塵部を備えたサイクロン掃除機が開示されている。集塵部内には、小片が収容れている。小片は、油剤からなる塵埃吸着材を担持している。小片は、空気流により塵埃とともに集塵部内で浮遊し、吸着作用によって微細な塵埃を回収する。
【０００４】
特開２００４−１７３９６４号公報（特許文献２）には、静電気発生部および集塵部を備えた電気掃除機が開示されている。静電気発生部は、集塵部に送られる塵埃を帯電させる。集塵部は、帯電された塵埃とは逆極性にエレクトレット処理されている。静電吸着力を利用することで、掃除機本体の機能の低下をおこすことなく、捕塵効果を高めることができる。
【０００５】
特開２００６−２３０８１９号公報（特許文献３）には、サイクロン容器を備えた電気掃除機が開示されている。サイクロン容器下面には、毛皮が設けられている。毛皮を回転させることで、摩擦により静電気が発生する。静電吸着力（静電気による引力）によって、塵埃がダストボックス内に留まるため、捕塵効果を高めることができる。
【先行技術文献】
【特許文献】
【０００６】
【特許文献１】特許第５１３００１２号公報
【特許文献２】特開２００４−１７３９６４号公報
【特許文献３】特開２００６−２３０８１９号公報
【発明の概要】
【発明が解決しようとする課題】
【０００７】
物体間に働く静電気の引力は、物体間の距離が離れるにつれて低下する。従来の集塵装置は、空気流に乗って移動する塵埃に十分な静電吸着力（静電気による引力）を付与することができず、必ずしも効果的ではなかった。
【０００８】
本発明は、塵埃に十分な静電吸着力を付与することで、集塵性能を向上させることが可能な集塵装置を提供することを目的とする。
【課題を解決するための手段】
【０００９】
本発明に基づく集塵装置は、入口部と出口部とが設けられた中空の形状を有し、上記入口部から塵埃を含む空気が導入され、空気が内部で旋回することで空気から塵埃が遠心分離され、塵埃と分離された空気が上記出口部から排出される旋回室と、上記旋回室の上記内部に配置され、上記旋回室の上記内部で旋回する空気によって吹き上げられることで上記旋回室の上記内部で浮遊しながら旋回する吸着体と、上記吸着体を帯電させる静電気発生部と、を備える。
【００１０】
上記集塵装置において好ましくは、上記旋回室の内壁面と上記吸着体とは、互いに逆極性に帯電している。
【００１１】
上記集塵装置において好ましくは、上記静電気発生部は、上記旋回室の内壁面の少なくとも一部を構成しており、上記静電気発生部は、上記旋回室の上記内部で旋回する上記吸着体に接触することで、上記吸着体を帯電させる。
【００１２】
上記集塵装置において好ましくは、上記静電気発生部に電圧を印加することで、上記静電気発生部を任意の極性に帯電させる電圧印加装置をさらに備える。
【００１３】
上記集塵装置において好ましくは、上記吸着体は、多孔質構造、格子状構造、または表面が粗面化された構造を有している。
【発明の効果】
【００１４】
上記の構成によれば、帯電した吸着体が旋回室内で塵埃とともに浮遊する際に、静電吸着力が吸着体から塵埃に付与されるため、集塵性能を向上させることができる。
【図面の簡単な説明】
【００１５】
【図１】実施の形態１における集塵装置１を示す斜視図である。
【図２】図１中のＩＩ−ＩＩ線に沿った断面斜視図である。
【図３】実施の形態１における集塵装置１を示す断面図である。
【図４】図３中のＩＶ−ＩＶ線に沿った断面図である。
【図５】実施の形態１における集塵装置１の作用および効果を説明するために、集塵装置１を模式的に表した側面図である。
【図６】実施の形態１における集塵装置１の作用および効果を説明するために、集塵装置１を模式的に表した断面図である。
【図７】実施の形態１における集塵装置１の作用および効果を説明するために、集塵装置１を模式的に表した他の断面図である。
【図８】実施の形態２における集塵装置１Ａを模式的に示す断面図である。
【図９】実施の形態３における集塵装置１Ｂを示す側面図である。
【図１０】実施の形態３における集塵装置１Ｂを示す斜視図である。
【図１１】実施の形態３における集塵装置１Ｂを示す断面図である。
【図１２】実施の形態３における集塵装置１Ｂを示す断面斜視図である。
【図１３】実施の形態４における集塵装置１Ｃを模式的に示す断面図である。
【図１４】実施の形態５における集塵装置１Ｄ（発音装置）を模式的に示す断面図である。
【図１５】実施の形態５における集塵装置１Ｄ（発音装置）に備えられる吸着体２３Ａ（発音体）を示す断面図である。
【図１６】実施の形態６における集塵装置（発音装置）に備えられる吸着体２３Ｂ（発音体）を示す断面図である。
【図１７】実施の形態７における集塵装置（発音装置）に備えられる吸着体２３Ｃ（発音体）を示す断面図である。
【図１８】実施の形態５〜７に関して、ドップラー効果とうなり音について説明するための第１模式図である。
【図１９】実施の形態５〜７に関して、ドップラー効果とうなり音について説明するための第２模式図である。
【図２０】実施の形態５〜７に関して、ドップラー効果とうなり音について説明するための第３模式図である。
【図２１】実施の形態５〜７に関して、ドップラー効果とうなり音について説明するための第４模式図である。
【図２２】実施の形態８における集塵装置１Ｇ（照明装置）を示す断面斜視図である。
【図２３】実施の形態８における集塵装置１Ｇ（照明装置）を示す断面図である。
【図２４】実施の形態９における集塵装置１Ｈ（照明装置）を示す断面図である。
【図２５】実施の形態１０における集塵装置１Ｊ（照明装置）を模式的に示す断面図である。
【図２６】実施の形態１０における集塵装置１Ｊ（照明装置）に備えられる吸着体２３Ｄ（旋回体）を示す断面図である。
【発明を実施するための形態】
【００１６】
実施の形態について、以下、図面を参照しながら説明する。同一の部品および相当部品には同一の参照番号を付し、重複する説明は繰り返さない場合がある。
【００１７】
［実施の形態１］
図１〜図７を参照して、実施の形態１における集塵装置１について説明する。図１は、集塵装置１を示す斜視図である。図２は、図１中のＩＩ−ＩＩ線に沿った断面斜視図である。図３は、集塵装置１を示す断面図である。図４は、図３中のＩＶ−ＩＶ線に沿った断面図である。
【００１８】
集塵装置１は、たとえば、居室の床、机、家具の棚、壁面、天井面など、各種の設置面上に設置される。集塵装置１は、吸込口１２から本体１０の内部へ空気を吸引するとともに、吸引した空気を吹出口１８から外部に吹き出すことができる。具体的には、集塵装置１は、本体１０、駆動源２０（図２，図３）、羽根車２１、静電気発生部２２、吸着体２３を備える。
【００１９】
（本体１０）
本体１０は、筒状部１１、吸込口１２、旋回流生成部１３、旋回室１４、仕切部１５、テーパー部１６、静翼部１７、吹出口１８、集塵部１９を含む。筒状部１１は、円筒状の形状を有する。筒状部１１の軸方向における一端に吸込口１２が設けられ、筒状部１１の軸方向における他端に吹出口１８が設けられている。テーパー部１６は、筒状部１１の軸方向における略中央に設けられる。
【００２０】
旋回流生成部１３は、吸込口１２の内側に固定配置されている。旋回流生成部１３は、周方向に並ぶ複数の羽根部を含む。吸込口１２を通して吸い込まれる空気は、隣り合う羽根部の間に形成された隙間を通過したのち、旋回室１４に到達する。空気は、隣り合う羽根部の間に形成された隙間を通過することにより、旋回室１４の中で旋回流を形成する。旋回流生成部１３が設けられている位置は、旋回室１４の入口部１４ａとして機能している。
【００２１】
静翼部１７は、吹出口１８の内側に固定配置されている。静翼部１７も、周方向に並ぶ複数の羽根部を含む。静翼部１７を構成するこれらの羽根部の内側に、駆動源２０が配置される。羽根車２１は、駆動源２０の出力軸に取り付けられ、テーパー部１６と静翼部１７との間に配置される。
【００２２】
仕切部１５は、旋回室１４の中に設けられる。仕切部１５は、周方向に並ぶ複数のリブ部を含む。これらのリブ部は、いずれも、筒状部１１の筒軸方向に対して平行に延びている。旋回室１４内の空気は、隣り合うリブ部の間に形成された隙間を通過し、テーパー部１６の内側の空間（テーパー部１６の上方の空間）に到達する。仕切部１５が設けられている位置は、旋回室１４の出口部１４ｂとして機能する。
【００２３】
旋回室１４は、入口部１４ａと出口部１４ｂとが設けられた中空の形状を有する。集塵部１９は、旋回室１４の径方向の外側に配置される（図４参照）。羽根車２１の回転によって、吸込口１２、旋回流生成部１３を通して、入口部１４ａから塵埃を含む空気が旋回室１４内に導入される。
【００２４】
空気は、旋回流生成部１３を通過することにより、旋回室１４の中で旋回流を形成する。空気が内部で旋回することで、空気から塵埃が遠心分離される。分離された塵埃の多くは、集塵部１９により回収される。塵埃と分離された空気は、出口部１４ｂ（仕切部１５）を通して旋回室１４から排出される。空気は、テーパー部１６と静翼部１７との間の空間、静翼部１７、吹出口１８を通して、集塵装置１の外部に排出される。
【００２５】
（静電気発生部２２・吸着体２３）
吸着体２３は、旋回室１４の内部に配置される。旋回室１４の内部には、１個の吸着体２３が収容されていてもよいし、複数の吸着体２３が収容されていてもよい。吸着体２３は、旋回室１４の内部で旋回する空気によって吹き上げられることで、旋回室１４の内部で浮遊しながら旋回する。この時、吸着体２３のサイズおよび重量は最適に選択されており、集塵部１９よりも低い位置で吸着体２３は旋回する。
【００２６】
吸着体２３は、好ましくは、多孔質構造、格子状構造（繊維構造）、または表面が粗面化された構造を有している。吸着体２３は、線状または紐状の素材を中心部から放射状に配列して形成されていても構わない。安定して浮遊旋回させるために、吸着体は球状であることが望ましい。吸着体２３は、比表面積が大きく、気流を受けて浮遊しやすい部材から構成されていることが望ましい。具体例としては、吸着体２３の材質は、多孔質構造を取る発泡樹脂等が適している。
【００２７】
吸着体２３を構成している多孔質材の気孔サイズにより、吸着可能な塵埃を調整することが可能である。吸着体２３を構成している多孔質材の気孔が連続で繋がっていることで、吸着体２３の内部へ塵埃を取り込みやすくなる。吸着体２３が繊維材から構成されている場合、繊維径により吸着可能な塵埃が異なる。吸着体２３の構成する繊維材の具体例としては、綿を球状に巻き上げたものや、不織布を切り出したものが良い。
【００２８】
吸着体２３を構成する部材には、セラミックスや活性炭の微細多孔質材を担持させてもよい。この場合、吸着体２３は、さらに微小な臭気成分を吸着することも可能となる。吸着体２３の形状は、球形を採用することで安定した旋回運動をさせることができ、摩擦も発生しやすくなる。
【００２９】
吸着体２３の材質に発泡ウレタンフォームを採用した場合は、旋回時に旋回室１４の内周壁に吸着体２３が押し当てられた際、その柔軟さにより接触部が潰れ、接触面積が増え大きな帯電を得ることが可能となる。吸着体２３を角のある形状にした場合（たとえば四角柱の場合）、気流を上手く受ける面が不安定になり、上下に揺動しやすくなり、吸着体２３同士での衝突が頻繁に生じ、吸着体２３は弾むようにして旋回することも可能となる。
【００３０】
静電気発生部２２は、旋回室１４の内部で浮遊しながら旋回する吸着体２３を帯電させる。同時に、静電気発生部２２も帯電する。静電気発生部２２は、たとえば、ナイロン（ポリアミド）から構成される。静電気発生部２２は、筒状部１１（旋回室１４）を構成する部材そのものの一部として構成されていてもよいし、筒状部１１を構成する部材とは別部材として構成され、筒状部１１の内壁面に貼り付けられていてもよい。静電気発生部２２を、筒状部１１（旋回室１４）を構成する部材そのものの一部として構成する場合には、筒状部１１（旋回室１４）を射出成型により作製するのに適した樹脂材料が選択されるとよい。
【００３１】
静電気発生部２２がガラスやナイロン（ポリアミド）等から構成される場合、吸着体２３の材質は、たとえばポリエチレンやポリウレタン等（発泡ウレタンフォーム）の多孔質材を選択するとよい。この場合、吸着体２３は負極性に帯電することになる。摩擦帯電列において、ナイロンは正極性に帯電しやすい材料であり、ポリエチレンやポリウレタンは負極性に帯電しやすい材料である。
【００３２】
摩擦帯電列からの選択に応じて、吸着体２３や静電気発生部２２の帯電極性を任意に設定できる。材料が異なる複数種類の吸着体２３を用意することで、１種類の静電気発生部２２によって、吸着体２３の帯電極性、帯電量を自由に設定することが可能となる。旋回室１４の中で浮遊する吸着体２３は、塵埃を含む空気と撹拌されながら、塵埃を捕集する。この際、静電気発生部２２により帯電した吸着体２３は、静電気による引力により、塵埃を効果的に捕集することが可能となる。
【００３３】
（作用および効果）
図５〜図７は、集塵装置１の作用および効果を説明するために、集塵装置１を模式的に表した図である。図５〜図７中において、白色矢印ＡＲ１は、空気の流れを示しており、黒色矢印ＡＲ２は、塵埃の流れを示している。
【００３４】
吸込口１２および入口部１４ａを通して旋回室１４に流入した空気は、旋回室１４の中で旋回する。空気よりも重量のある塵埃は、遠心力により旋回室１４の外周側へと移動し、空気から分離される。空気は、多くの塵埃が分離された状態で、出口部１４ｂ、吹出口１８を通して集塵装置１の外部へと排出される。集塵部１９の入口では、遠心力と慣性とにより空気から塵埃が分離される。集塵部１９の内部では、集塵部１９の入口から空間が広がるように形成されているため、集塵部１９に流入する空気の風速が低下し、塵埃だけが集塵室１９内に残ることになる。
【００３５】
旋回室１４の中で浮遊撹拌されながら塵埃を吸着する吸着体２３は、十分に質量があるため、遠心力を受けて旋回室１４の内周壁に沿うように旋回する。吸着体２３は、多孔質構造を有しており、塵埃を含む空気と撹拌されることで、遠心分離されにくい微細な塵埃や粒子を吸着し、集塵率を向上させる。
【００３６】
静電気発生部２２は、旋回室１４の内壁面の少なくとも一部を構成しており、吸着体２３は、旋回室１４の中で浮遊旋回する際に、静電気発生部２２と接触する。この時、摩擦帯電、接触帯電、剥離帯電、回転帯電等の物理的な接触による帯電現象が起きる。
【００３７】
吸着体２３の帯電極性と、静電気発生部２２の帯電極性とは、好ましくは逆極性となるように構成される。たとえば、吸着体２３が負極帯電している場合、正極帯電している塵埃の吸着が促進される。静電気発生部２２と吸着体２３との帯電極性は、摩擦帯電列に基づき決定される。
【００３８】
摩擦帯電列において、静電気発生部２２の材質位置と吸着体２３の材質位置とが互いに離れている程、より大きな帯電量が得られる。材料選定により、帯電極性および帯電量を適切に設定可能である。静電気発生部２２が正帯電し、吸着体２３が負帯電している場合、正帯電した塵埃の吸着体２３への吸着が盛んになり、塵埃の静電気発生部２２への付着を抑制できる。静電気発生部２２は、コロナ放電等の作用によって、吸着体２３や塵埃に非接触でこれらを帯電させてもよい。
【００３９】
摩擦により静電気発生部２２（旋回室１４の内壁面）は帯電しており、静電気発生部２２の帯電の極性とは逆極性の塵埃には、径方向外側へ引き寄せられる力が働く。この力により遠心分離能力が強化され、集塵率の向上に繋がる。この時、吸着体２３は旋回室１４の内周壁に沿うように旋回する。吸着体２３が塵埃と同じ極性に帯電している場合には、吸着体２３の吸着は盛んではないが、吸着体２３は旋回室１４の内周壁に付着する塵埃を拭き取る効果（セルフクリーニング効果）がある。この拭き取り作用を考慮し、流入風量、すなわち回転翼の回転数を調整することで、旋回高さを変え、吸着体２３のサイズ、重量を調整し、吸着体２３の旋回高さを複数の値に設定することも効果的である。
【００４０】
従来は、吸着体２３の材質や構造のみの作用によって塵埃を捕集していた。本実施の形態においては、吸着体２３そのものが有する吸着能に加えて（図５，図６参照）、吸着体２３に付与された帯電の静電吸着力が塵埃に付与されるため、吸着体２３は塵埃を効果的に集めることができる（図７参照）。吸着体２３から離れた位置で浮遊する塵埃も、静電吸着力によって、吸着体２３に吸着させることが可能となる。吸着体２３の帯電により、吸着体２３の塵埃に対する保持力も向上する。
【００４１】
遠心分離の作用によって旋回室で分離できる塵埃は限られている。遠心分離の作用のみによって微細な塵埃を十分に回収することは容易ではない。遠心分離で捕集されなかった微細な塵埃は、旋回室の下流へと流れる。一般的なサイクロン式電気掃除機においては、微細な塵埃を集めるために、旋回室の下流に微細塵用フィルターが設けられている。
【００４２】
本実施の形態においては、吸着体２３そのものが有する吸着能に加えて、吸着体２３に付与された帯電による静電吸着力によって、塵埃を効果的に集めることができる。旋回室１４および集塵部１９内の総集塵量が増加する。旋回室１４の下流にフィルターが設けられる場合には、旋回室１４内での集塵率の向上は、フィルターの詰まりを抑制し、フィルター詰まりによる圧力損失の発生も低減できることになる。
【００４３】
集塵装置１によれば、少ない風量（風速）で遠心分離可能となり、羽根車２１の小型化、低騒音化、コスト低減などを図ることも可能となる。集塵装置１が電気掃除機等に用いられる場合には、吸込みホース部分に、塵埃を任意の極性に帯電させる静電気発生部を備えることでより効果的になる。吸着体２３は、取扱いが簡単であり、油分によるベタつきもほとんどなく、繰り返して利用することが可能である。
【００４４】
［実施の形態２］
図８を参照して、集塵装置１Ａにおいては、吸着体２３の帯電極性と、静電気発生部２２の帯電極性とが、逆極性となるように構成される。吸着体２３が正極に帯電する場合、負極に帯電した塵埃に対して有効である。一方、吸着体２３が正極に帯電する場合、正極に帯電した塵埃に対しては効果を得にくい。
【００４５】
この時、静電気発生部２２が吸着体２３とは逆極性（ここでは負極）に帯電していることで、静電気発生部２２は、正極に帯電する塵埃に対して静電気による引力を発揮する。遠心分離を行なう集塵装置１Ａにおいて、旋回室１４の一部の内周壁を構成している静電気発生部２２の静電気力は、塵埃に対して遠心方向への力として作用するため、塵埃の遠心分離能力が向上する。
【００４６】
［実施の形態３］
図９〜図１２を参照して、実施の形態３における集塵装置１Ｂについて説明する。集塵装置１Ｂと実施の形態１における集塵装置１（図１〜図４）とは、以下の点において相違している。
【００４７】
集塵装置１Ｂの本体１０（筒状部１１）は、全体として、中央がくびれた円筒状の形状を有している。旋回流生成部１３は、プロペラファンの形状を有しており、筒状部１１の軸方向における中央に固定配置されている（図１１，図１２参照）。旋回流生成部１３は、吸込口１２から旋回室１４に向かって流れる空気の流れを変える。旋回流生成部１３を通過した空気は、旋回室１４の中で旋回流を形成することになる。
【００４８】
集塵装置１Ｂの筒状部１１は、集塵部１９を着脱可能に受け入れ可能な切り欠きを有している。集塵部１９の外表面は、集塵部１９が筒状部１１に取り付けられている状態で、筒状部１１の外表面と面一の関係となるように設けられている。集塵部１９が筒状部１１に取り付けられている状態で、旋回室１４の内側空間は、集塵部１９に設けられた開口を通して集塵部１９の内側空間に連通している。
【００４９】
（作用および効果）
吸込口１２から筒状部１１の中に吸い込まれた空気は、上昇移動し、やがて旋回流生成部１３に到達する。旋回流生成部１３（入口部１４ａ）を通過した空気は、旋回室１４の中で旋回する。旋回流の作用によって、旋回室１４の内部にて、塵埃および空気は互いに遠心分離される。空気と分離された塵埃は、集塵部１９に設けられた開口部を通して、集塵部１９の中に集められる。
【００５０】
空気は、多くの塵埃が分離された状態で、出口部１４ｂ、吹出口１８を通して集塵装置１の外部へと排出される。旋回室１４の中で浮遊撹拌されながら塵埃を吸着する吸着体２３は、十分に質量があるため、遠心力を受けて旋回室１４の内周壁に沿うように旋回する。静電気発生部２２は、旋回室１４の内壁面の少なくとも一部を構成しており、吸着体２３は、旋回室１４の中で浮遊旋回する際に、静電気発生部２２と接触する。この時、摩擦帯電、接触帯電、剥離帯電、回転帯電等の物理的な接触による帯電現象が起きる。
【００５１】
本実施の形態においても、吸着体２３そのものが有する吸着能に加えて、吸着体２３に付与された帯電の静電吸着力が塵埃に付与されるため、吸着体２３は塵埃を効果的に集めることができる。吸着体２３から離れた位置で浮遊する塵埃も、静電吸着力によって、吸着体２３に吸着させることが可能となる。吸着体２３の帯電により、吸着体２３の塵埃に対する保持力も向上する。
【００５２】
［実施の形態４］
図１３を参照して、実施の形態４における集塵装置１Ｃについて説明する。集塵装置１Ｃと実施の形態１における集塵装置１（図１〜図４）とは、以下の点において相違している。
【００５３】
集塵装置１Ｃにおいては、静電気発生部２２Ａが電極（シート状の電極材）から構成されている。シート状の電極材に限られず、静電気発生部２２Ａは、導電性インクを印刷したものから構成されていてもよい。すなわち、静電気発生部２２Ａとしては、筒状部１１の側面に導電性インクを直接印刷することで構成された電極を用いることも可能である。また、曲面形状に沿った形の電極を用いたもの、複数の電極を配置してもよい。集塵装置１Ｃは、電圧印加装置２４（昇圧回路）をさらに備えている。電圧印加装置２４は、静電気発生部２２Ａに電圧を印加することで、静電気発生部２２Ａを任意の極性に帯電させる。図１３に示す電圧印加装置２４は、筒状部１１の外部に設けられているが、電圧印加装置２４は、筒状部１１の内部に設けられていても構わない。
【００５４】
吸着体２３は、静電気発生部２２Ａに接触しながら旋回室１４の中で旋回する。誘電分極作用によって、吸着体２３の表層部には、静電気発生部２２Ａとは逆極性の電荷が集まることになる。すなわち、吸着体２３は、摩擦による帯電と同じ効果が得られる。静電気発生部２２Ａに印加する電圧の大きさ等を適宜設定することによって、吸着体２３の帯電極性、帯電量を自由に設定することが可能となる。
【００５５】
［実施の形態５］
図１４および図１５を参照して、実施の形態５における集塵装置１Ｄについて説明する。集塵装置１Ｄと実施の形態１における集塵装置１（図１〜図４）とは、以下の点において相違している。図１４に示すように、集塵装置１Ｄにおいては、旋回室１４の内壁面に、複数の突起１４Ｐが設けられている。
【００５６】
図１５を参照して、集塵装置１Ｄの旋回室１４に収容される吸着体２３Ａ（発音体）は、外殻体２３ｍと、複数の小片２３ｎとを含む。複数の小片２３ｎは、外殻体２３ｍの中に移動自在に収容されている。
【００５７】
図１４に示すように、吸着体２３Ａが旋回室１４の中で旋回する際、吸着体２３Ａが突起１４Ｐに接触することで、吸着体２３Ａは発音する。たとえば、複数の小片２３ｎが外殻体２３ｍの内周面に擦れたり衝突したりすることで、吸着体２３Ａは発音する。複数の小片２３ｎ同士が互いに擦れたり衝突したりすることでも、吸着体２３Ａは発音する。
【００５８】
複数の突起１４Ｐの配置間隔や、突起高さ、材質などで、吸着体２３Ａから発せられる音が異なり、吸着体２３Ａの旋回速度に応じて発音を調整可能である。吸着体２３Ａの外殻体２３ｍ、小片２３ｎの材質、サイズ等でも音色が変わり、混合した複数種類の小片２３ｎを使用することも可能である。吸着体２３Ａが旋回流に乗って旋回する際、揺動、衝突時の振動により、集塵装置１Ｄから不規則な音を発生することになる。楽器のマラカスや乳児用のガラガラと同じような発音手段を実現することも可能である。
【００５９】
本実施の形態で説明した吸着体２３Ａ（発音体）は、発音機能を提供するという観点では、集塵や吸着という思想とは独立した発明として単独で実施することも可能である。すなわち、本実施の形態で説明している内容は、実施の形態１〜４と組み合わせて実施することも可能であり、実施の形態１〜４と組み合わせずに実施することも可能である。
【００６０】
発音機能により着目した発音体を作成するためには、ピンポン玉のような樹脂製の外殻体２３ｍの内側に、ビーズのような小片２３ｎを複数入れることで作成できる。気流により外殻体２３ｍおよび小片２３ｎが動かされ、慣性の法則および重力に加え、衝突により発音する。ビーズのサイズ、材質、数量、形状によって、音色が変化する。外殻体２３ｍの材質や、旋回室１４の内壁面の凹凸によっても、音色は変化する。樹脂製の外殻体２３ｍの中に複数のビーズ製の小片２３ｎを複数入れた場合には、いわゆるホワイトノイズと呼ばれる音が発生する。母親の胎教の音に似ていることから、入眠効果やリラックス効果を得ることができる。後述するドップラー効果の原理によれば、旋回により、ホワイトノイズを周期的に発生させることも可能である。
【００６１】
本実施の形態で説明した吸着体２３Ａ（発音体）は、上述の実施の形態３における集塵装置１Ｂ（図９〜図１２）の中に収容されてもよい。集塵装置１Ｂの旋回室１４の内壁は、円錐状に傾斜した形状を有している。発音体の旋回高さにより旋回径が変化する。羽根車２１（図１１，図１２）の回転数を増やし、風量を上げることで旋回高さは上昇し、風量を下げると旋回高さは下降する。
【００６２】
羽根車２１の回転数を制御することにより、旋回径、すなわち旋回周期が変わり音に変化を付けることが可能である。また、風量増加に伴い旋回速度は上昇し、旋回径が大きくなることで旋回速度が低下する。発音体の形状が球形の場合、安定して旋回、発音させることができ、多角形のような角、稜線のある形を用いた場合、旋回が不安定になり、その発音も不規則になる。
【００６３】
［実施の形態６］
図１６を参照して、実施の形態６における集塵装置について説明する。本実施の形態における集塵装置と実施の形態５における集塵装置１Ｄ（図１４，図１５）とは、以下の点において相違している。
【００６４】
本実施の形態の集塵装置においては、吸着体２３Ｂ（発音体）が用いられる。外殻体２３ｍの内部に、音板２６ｍと音棒２６ｎとが片持ちで固定されており、打鳴部２５は、固定部２５ｍを介して揺動自在に保持されている。音板２６ｍおよび音棒２６ｎは、サイズや形状を変えることで、音色が変化する。吸着体２３Ｂは、旋回室１４（図１３参照）の中で旋回流に乗って旋回する。旋回の際、打鳴部２５が揺動し、音板２６ｍと音棒２６ｎに衝突することで吸着体２３Ｂは発音する。
【００６５】
本実施の形態で説明した吸着体２３Ｂ（発音体）も、発音機能を提供するという観点では、集塵や吸着という思想とは独立した発明として単独で実施することも可能である。本実施の形態の場合には、乳児用のチャイムとして知られる構成を実現することもできる。すなわち、本実施の形態で説明している内容は、実施の形態１〜５と組み合わせて実施することも可能であり、実施の形態１〜５と組み合わせずに実施することも可能である。
【００６６】
［実施の形態７］
図１７を参照して、実施の形態７における集塵装置について説明する。本実施の形態における集塵装置と実施の形態５における集塵装置１Ｄ（図１４，図１５）とは、以下の点において相違している。
【００６７】
本実施の形態の集塵装置においては、吸着体２３Ｃ（発音体）が用いられる。本実施の形態の外殻体２３ｍは、発泡ウレタンフォームなどから構成される。外殻体２３ｍの内部には、基板等を配置可能な空間が設けられており、本実施の形態では、発電部２８ａ、制御部２８ｂ、発音部２８ｃが設けられている。制御部２８ｂは、蓄電部としての機能や、記憶部としての機能も備える。発電部２８ａは、たとえば圧電素子等から構成され、吸着体２３Ｃの揺動や衝突による振動を基に発電する。発電された電力により、制御部２８ｂ（記憶部）に格納されている任意の音源（音楽、音声など）を、発音部２８ｃ（スピーカー）にて再生可能となる。
【００６８】
本実施の形態で説明した吸着体２３Ｃ（発音体）も、発音機能を提供するという観点では、集塵や吸着という思想とは独立した発明として単独で実施することも可能である。すなわち、本実施の形態で説明している内容は、実施の形態１〜６と組み合わせて実施することも可能であり、実施の形態１〜６と組み合わせずに実施することも可能である。
【００６９】
（ドップラー効果とうなり音について）
図１８〜図２１は、実施の形態５〜７に関して、ドップラー効果とうなり音について説明するための模式図である。たとえば吸着体２３Ｃ（発音体）を備えた集塵装置１Ｆ（発音装置）において、吸着体２３Ｃは、矢印ＡＲ方向に旋回中に、観測者に近づくことと観測者から遠ざかることとを繰り返す。
【００７０】
音源が観察者に近づくように移動する時は、観測者は音源からの音を高い音として感受し、音源が観察者から遠ざかるように移動する時は、観測者は音源からの音を低い音として感受する（ドップラー効果）。集塵装置１Ｆ（発音装置）の中に吸着体２３Ｃ（発音体）が複数収容されている場合には、吸着体２３Ｃから観察者に届く音の周波数の違いにより、観察者は、うなり音を感受する。たとえば、２つの吸着体２３Ｃ（発音体）が、同一の周波数を有する音源を内蔵しているとする。
【００７１】
図１８に示す位置関係の場合、うなりが｜Ｆ１−Ｆ２｜回発生する。図１９に示す位置関係の場合、うなりが｜Ｆ１’−Ｆ２’｜回発生する。一方で、図２０に示す位置関係の場合、うなりは発生しない。したがって、吸着体２３Ｃが旋回室１４の中で旋回することで、集塵装置１Ｆ（発音装置）は、うなりの回数が時間で変化する音を発生可能となる。２つの吸着体２３Ｃにおいて周波数が異なる場合も、うなりの発生回数が時間変化することになる。音波の重ね合わせにより、干渉と共鳴とが周期的に繰り返されることになり、観測者に癒し効果のある１／ｆゆらぎの音などを届けることも可能となる。愛玩動物用玩具としても利用可能である。
【００７２】
［実施の形態８］
図２２および図２３は、それぞれ、実施の形態８における集塵装置１Ｇを示す断面斜視図および断面図である。集塵装置１Ｇと実施の形態３における集塵装置１Ｂ（図９〜図１２）とは、以下の点において相違している。
【００７３】
集塵装置１Ｇは、旋回室１４の中央に、光源２９を備えている。本実施の形態の光源２９は、仕切部１５の下に設けられている。旋回室１４は、その内部で浮遊している吸着体２３を旋回室１４の外部から視認可能なように、透明性を有する部材から形成されている。透明性を有する部材とは、光が通過することが可能な材質で形成された部材である（たとえばアクリルなど）。旋回室１４の内部で浮遊している吸着体２３を旋回室１４の外部から視認可能でさえあれば、透過率は多少低くても構わない（磨りガラスや乳白色プラスティック等）。
【００７４】
吸着体２３は遮光性を有する部材から構成され、光源２９の回りで揺動旋回する。複数の吸着体２３により遮光されることで漏れ出る光源２９の光や、吸着体２３によって形成される影が動くことで、集塵装置１Ｇは、独特な光の演出が可能な照明装置として機能することができる。吸着体２３は、透光材または反射材から構成される場合、色、透光性、反射性等の選択によりさらに多才な光の演出が可能となる。たとえば、吸着体２３（旋回体）が不規則に揺動や旋回する場合には、漏れる光も不均一になり、木漏れ日に似た不規則なゆらぎを提供できる。
【００７５】
本実施の形態で説明した集塵装置１Ｇ（照明装置）は、照明機能を提供するという観点では、集塵や吸着という思想とは独立した発明として単独で実施することも可能である。すなわち、本実施の形態で説明している内容は、実施の形態１〜７と組み合わせて実施することも可能であり、実施の形態１〜７と組み合わせずに実施することも可能である。
【００７６】
［実施の形態９］
図２４を参照して、実施の形態９における集塵装置１Ｈについて説明する。本実施の形態における集塵装置１Ｈと実施の形態８における集塵装置１Ｇ（図２２，図２３）とは、以下の点において相違している。本実施の形態の光源２９は、仕切部１５の周囲に設けられている。当該構成によっても、上述の実施の形態８と略同様の作用および効果を得ることができる。
【００７７】
［実施の形態１０］
図２５および図２６を参照して、実施の形態１０における集塵装置１Ｊについて説明する。集塵装置１Ｊと実施の形態１における集塵装置１（図１〜図４）とは、以下の点において相違している。
【００７８】
本実施の形態の集塵装置１Ｊは、吸着体２３Ｄ（発光体）を備えている。吸着体２３Ｄは、透明性を有する外殻体２３ｍ（たとえば発泡ウレタンフォーム）の内部に、基板等を配置可能な空間が設けられており、本実施の形態では、発電部２８ｓおよび発光部２８ｔが設けられている。
【００７９】
発泡ウレタンフォームは多孔質材であり、光が透けることから、内部のＬＥＤの発光を外部から確認できる。吸着体２３Ｄは、内部に発電部２８ｓを備えることで、発光部２８ｔ（ＬＥＤ等）の電気を利用して発光する。吸着体２３Ｄは、旋回室１４の中で旋回する際に、自発光する光源として機能することが可能となる。発電部２８ｓの代わりに、電池（蓄電部）を用いることも可能である。
【００８０】
上記の構成に限られず、吸着体２３Ｄの全体が、化学反応を用いた発光体または、蓄光する材料を用いて構成されていてもよい。吸着体２３Ｄは、旋回室１４の中で周期的に旋回移動する光源を構成する。集塵装置１Ｊの使用者に、光の揺らめきを与えることができる。旋回室１４の中に複数の吸着体２３Ｄが備えられる場合、多重影を作り出し、複数色から成る場合、色が合成され、光の多才な演出を実現することが可能となる。
【００８１】
本実施の形態で説明した集塵装置１Ｊ（照明装置）は、照明機能を提供するという観点では、集塵や吸着という思想とは独立した発明として単独で実施することも可能である。すなわち、本実施の形態で説明している内容は、実施の形態１〜９と組み合わせて実施することも可能であり、実施の形態１〜９と組み合わせずに実施することも可能である。
【００８２】
吸着体２３の吸着能を抑えてより大きな照明機能を発揮させるためには、塵埃と同じ極性に吸着体２３を帯電させることで、塵埃の吸着体２３への吸着を抑制可能となる。たとえば、吸着能がそれほど要求されないシーンにおいてこの構成は有効である。旋回体（光玉）が旋回する風量インジケータとして装置を用いる場合、塵埃付着による光の遮りを抑制でき、光量（照度）を維持できる。
【００８３】
吸込口１２の数や、旋回室１４内を流れる空気の流量、旋回室１４の径を任意に設定することで、旋回体（吸着体２３）の旋回周期や揺動（上下移動）を制御することが可能となり、癒し効果があると言われている１／ｆゆらぎも実現可能である。
【００８４】
旋回体へ光照射する場合には、旋回体により部分的に光を遮り、木漏れ日のように光の漏れ具合を変化させることが可能となる。一方で、旋回体の内部に発光部２８ｔを備える場合、光源が揺動し、ろうそくや蛍のひかりのように揺らめく照明を実現できる。旋回室１４の内壁もしくは旋回体（吸着体２３）同士の衝突で発光させることも可能であり、不規則な発光を実現することも可能である。
【００８５】
発光部２８ｔおよび発電部２８ｓを備える場合には、旋回時の振動や衝撃にて発電し、任意の光を点灯または明滅させることが可能である。内部に制御部を設けることで明滅の周期も調整可能であり、蛍の発光パターン（１／ｆゆらぎ）を再現し、癒し効果を高めることも可能である。
【００８６】
旋回室１４の側面のある一点から、旋回室１４の内部で旋回する旋回体の動きを覗き込んだとする。この場合には、旋回体が眼に近づいたり遠のいたりする。発光、明滅にて視認性が向上し、眼球運動が促進される。眼球に入る光の量を調節する内眼筋は、意識的に動かすことができない筋肉であり、光の明滅によりこの筋肉を強制的に動かすことが可能となる。このような機能を備えた装置は、眼球運動治療器（光治療器）としても利用可能である。
【００８７】
［付記］
上記の技術的思想は、以下のように概括することができる。
【００８８】
［付記１］
入口部と出口部とが設けられた中空の形状を有し、上記入口部から塵埃を含む空気が導入され、空気が内部で旋回することで空気から塵埃が遠心分離され、塵埃と分離された空気が上記出口部から排出される旋回室と、
上記旋回室の上記内部に配置され、上記旋回室の上記内部で旋回する空気によって吹き上げられることで上記旋回室の上記内部で浮遊しながら旋回する吸着体と、
上記吸着体を帯電させる静電気発生部と、を備える、
集塵装置。
【００８９】
上記吸着体は、多孔質構造を有する発泡樹脂等が適しており、含塵空気と浮遊撹拌されながら塵埃を捕集する際、静電気発生部により帯電した上記吸着体は、静電気による引力により塵埃を効果的に捕集することが可能となる。
【００９０】
［付記２］
上記旋回室の内壁面と上記吸着体とは、互いに逆極性に帯電している、
付記１に記載の集塵装置。
【００９１】
上記静電気発生部の極性を任意に設定することによって、上記吸着体の表面は逆極性となる。
【００９２】
［付記３］
上記静電気発生部は、上記旋回室の内壁面の少なくとも一部を構成しており、
上記静電気発生部は、上記旋回室の上記内部で旋回する上記吸着体に接触することで、上記吸着体を帯電させる、
付記１または２に記載の集塵装置。
【００９３】
上記静電気発生部が上記吸着体に接触する時、摩擦帯電、接触帯電、剥離帯電、回転帯電等の物理的な接触による帯電現象が起きる。正極性に帯電しやすい材料から、負極性に帯電しやすい材料を並べた摩擦帯電列表において、位置が離れている程帯電量が大きいとされている。上記静電気発生部と上記吸着体との材料を帯電列に応じて選定することで、極性と帯電量とを適切に設定可能である。
【００９４】
［付記４］
上記静電気発生部に電圧を印加することで、上記静電気発生部を任意の極性に帯電させる電圧印加装置をさらに備える、
付記１から３のいずれか１項に記載の集塵装置。
【００９５】
上記旋回室内で浮遊撹拌される上記吸着体は、帯電した上記静電気発生部と接触する。上記静電気発生部は、たとえば旋回室の内周壁にシート状の電極材、または、導電性インクを印刷したものから構成され、高電圧発生装置（電圧印加装置）により昇圧されることで帯電する。この電極材に接するように旋回する吸着体は、誘電分極作用により表層とは逆極性に帯電することになる。高電圧発生装置の極性を任意に設定でき、電極材の帯電を変えることで吸着体の帯電方向を選択できる。
【００９６】
［付記５］
上記吸着体は、多孔質構造、格子状構造、または表面が粗面化された構造を有している、
付記１から４のいずれか１項に記載の集塵装置。
【００９７】
吸着体は、吸着対象である塵埃のサイズに応じて選定される。吸着体は、旋回流に乗って浮遊撹拌させるため、吸着体の大きさに応じて十分軽量である必要がある。また、吸着体は柔軟性がある方が好ましい。吸着体は、旋回時の遠心力により旋回室の内壁へ圧しつけられ、接触面積が増え、安定した帯電が得られる。
【００９８】
［付記６］
上記吸着体は、線状または紐状の素材を中心部から放射状に配列して形成されている、
付記１から４のいずれか１項に記載の集塵装置。
【００９９】
安定して浮遊旋回させるために、上記吸着体は球状であることが望ましい。安定して接触することで、摩擦帯電が安定する。球状の吸着体は、上記多孔質構造同様に、軽量であり、材料と色の選択性が高い。繊維を束ねる構造を取ることで選択性があり、繊維自身に消臭、脱臭、抗菌等の機能を持たせた材料を選択することも可能である。一般的に量産されている手法がそのまま採用できる。
【０１００】
［付記７］
上記吸着体は、糸、パイル、綿、および不織布の群から選択される一つ以上の繊維材から立体構造を有するように形成されている、
付記１から４のいずれか１項に記載の集塵装置。
【０１０１】
繊維同士の絡まりにより吸着体の形状を形成し、材料によっては熱を掛けて繊維同士を溶着、またはバインダーにより固定する。こうして得られた吸着体は、上記多孔質構造同様に、軽量であり、帯電性が高い。
【０１０２】
［付記８］
上記吸着体は、紙、糸、パイル、綿、樹脂および不織布の群から選択される一つ以上のシート素材を、複数張り合わせることで立体構造を有するように形成されている、
付記１から４のいずれか１項に記載の集塵装置。
【０１０３】
たとえば、積層したシートで吸着体を構成した場合、空隙サイズの大きい、比較的大きいサイズの塵埃が吸着しやすい層と、空隙サイズの小さい微小塵埃用の吸着しやすい層とを持ち、これらを同時に吸着可能となる。装飾や加湿紙で知られるハニカムボール状の吸着体は、軽量且つ表面積を増大させることが可能である。接触面積が減るので帯電性は低下する。
【０１０４】
［付記９］
入口部と出口部とが設けられた中空の形状を有し、上記入口部から空気が導入され、空気が内部で旋回した後、空気が上記出口部から排出される旋回室と、
上記旋回室の上記内部に配置され、上記旋回室の上記内部で旋回する空気によって吹き上げられることで上記旋回室の上記内部で浮遊しながら旋回する旋回体と、を備え、
上記旋回体は、発音部を含み、旋回気流を受けて上下に揺動しながら浮遊旋回し、
上記旋回体が上記旋回室の内壁に衝突し、あるいは上記旋回体同士が衝突することで上記発音部が発音する、
発音装置。
【０１０５】
旋回体の表面や、旋回室の内壁に凹凸部を設けることで、楽器のギロのように擦り音を出し、旋回体同士の衝突や流入気流の乱れ等でランダムな動きにより音を発することが可能となる。
【０１０６】
［付記１０］
上記旋回体は、一つまたは複数の発音小片を内部に有している、
付記９に記載の発音装置。
【０１０７】
上記のような発音装置は、楽器のマラカスや鈴のような発音が可能であり、ランダムな動きから音を発生させる。また、ハンドベルのように、音階違いの旋回体を複数用意することもでき、旋回体に内包される小片、および、旋回体の外殻体のサイズや材質を、旋回可能な範囲で任意に選択可能である。
【０１０８】
［付記１１］
上記旋回体は、音板および／または音棒と、打鳴部とを内部に有している、
付記９または１０に記載の発音装置。
【０１０９】
旋回体内部に音板を固定し、その内部を打鳴部となる小片が移動自在に内包され、旋回体のランダムな動きにより小片が音板をたたくことで音を発生させることが可能となる。小児用のガラガラ（チャイム）に見られる構造であり、音板のサイズにより音階を選択可能である。
【０１１０】
［付記１２］
上記旋回体は、発電部、発音部および記憶装置を内部に有し、
上記旋回体は、旋回気流を受けて上下に揺動しながら浮遊旋回し、
上記旋回体が上記旋回室の内壁に衝突し、あるいは上記旋回体同士が衝突することで上記発電部が発電し、上記記憶装置に格納されている音情報を、上記発音部が上記発電部からの電力を受けることで出力する、
付記９から１１のいずれか１項に記載の発音装置。
【０１１１】
上記発電部は、たとえば圧電素子から構成される。発電部は、旋回体の振動で発電し、記憶装置に格納されている任意の音源を、スピーカーなどの発音部で再生する。十分な発電ができている場合、旋回体は常に音を出し続けることが可能となる。音源が常に移動することになり、観測者から見た場合、旋回体が観測者に近づいてくる時と、旋回体が観測者から遠ざかる時とで、聞こえてくる周波数が異なる、ドップラー効果が得られる。
【０１１２】
さらに、旋回体を複数備え、たとえば同じ周波数で発音する２つの旋回体が１８０°対向して旋回している場合、一方の旋回体は観測者に近づき、他方の旋回体は観測者から遠ざかる。ドップラー効果により、この二つの旋回体から聞こえる周波数に差が生じ、観測者は周波数の異なる音波の合成音を聞くことになる。この時、うなり音が発生する。周波数の差はうなり回数となり、選択した音源の周波数および旋回速度でそのうなり回数が変化する。観測者と２つの旋回体とが直線上に並ぶ時、ドップラー効果は得られず旋回体は同じ周波数となり、うなりは発生しない。そのため、音圧、周波数およびうなりの回数を周期的に変化させることが可能となる。
【０１１３】
［付記１３］
上記旋回体は、上記旋回室の中に複数収容されており、
複数のうちの少なくとも１つの上記旋回体の上記発音部の周波数は、他の上記旋回体の上記発音部の周波数と異なっている、
付記１２に記載の発音装置。
【０１１４】
周波数の差で生じるうなり音を任意に発生させることが可能となり、ドップラー効果と合わせて用いることで周期的な変化をもたらすことができる。うなりを通じて時間で音圧に強弱が生じる振幅ゆらぎや、周波数が時間で変化する周波数ゆらぎの双方を持つゆらぎ音を発生させることが可能となる。一般的に、振幅や周波数、発生タイミング等、ある物理量が時間経過とともに変動する現象のことを「ゆらぎ」と呼んでおり、ある種の音楽や自然音が人をリラックスさせる効果を持つのは、このゆらぎと深い関わりを持つことが知られている。自然界に広く存在する１／ｆ特性、すなわちゆらぎの大きさがゆらぎの周波数に逆比例する性質であり、様々な分野で使用され、注目されている。この１／ｆゆらぎ音を発生することも可能である。
【０１１５】
［付記１４］
入口部と出口部とが設けられた中空の形状を有し、上記入口部から空気が導入され、空気が内部で旋回した後、空気が上記出口部から排出される旋回室と、
上記旋回室の上記内部に配置され、上記旋回室の上記内部で旋回する空気によって吹き上げられることで上記旋回室の上記内部で浮遊しながら旋回する旋回体と、を備え、
上記旋回室は、透明材または透光材から構成され、
上記旋回室を浮遊旋回する上記旋回体は、反射、透光、および蓄光から選ばれた一つ以上の光特性を有する材料から構成される、
照明装置。
【０１１６】
上記旋回体としては、たとえばＬＥＤと電池とで構成されるもの、ケミカルライトのように化学反応を利用するものが挙げられる。旋回体を構成するベースとなる筺体には、透光材が適している。上記旋回体としては、蓄光材を使用することも可能である。さらに、旋回室内に光源を別途備えている場合、反射材を使用した旋回体は光を反射させることが可能である。ブラックライトを照射することで、蛍光物質を含んだ材料、または、蛍光塗料は反応して光ることになり、蛍光物質を持った旋回体でも良い。光源となる旋回体は揺動しながら旋回し、時折ランダムな動きが入ることもある。ろうそくの揺らめく炎に癒し効果があるとも言われており、不規則な揺動が、ろうそくの炎のような揺らめきをもたらす。
【０１１７】
［付記１５］
上記旋回体は、発電部および発光部を内部に有し、
上記旋回体は、旋回気流を受けて上下に揺動しながら浮遊旋回し、
上記旋回体が上記旋回室の内壁に衝突し、あるいは上記旋回体同士が衝突することで上記発電部が発電し、上記発光部が上記発電部からの電力を受けることで発光する、
付記１４記載の照明装置。
【０１１８】
上記発電部は、たとえば圧電素子から構成される。発電部は、旋回体の振動で発電し、ＬＥＤ等の発光部を発光させることが可能である。十分な発電ができている場合、旋回体は常に発光し続け、発電が微小な場合、コンデンサー等の蓄電部を備えることで、チャージ後に発光し、見た目には点滅する。コンデンサーの容量を選択することで点滅周期は選択可能であり、さらに、制御部を持つことで周期や光量も制御することが可能となる。ホタルの発光パターンには１／ｆゆらぎが含まれ、人に安らぎを与えると言われている。チャージ後に数秒発光する時、明滅周期を決めるのは振動による発電であり、チャージが完了するまでの時間は、旋回時の状況で異なる。すなわち明滅に不規則性を生じさせることが可能となる。
【０１１９】
［付記１６］
上記旋回体は、上記旋回室の中に複数収容されている、
付記１４または１５に記載の照明装置。
【０１２０】
複数の光源を備えることで、多重影ができ、さらに、光源の色が異なると色が合成され、任意の色を再現可能となる。光源が移動するため、影の方向が変化するような演出が可能である。ぼんぼりのような動きのある照明装置を実現することも可能である。ホタルのような明滅発光は、最初はバラバラだがやがて同時明滅発光へと変わっていく、このような引き込み（同期）現象にはリラクゼーション効果があると考えられている。旋回体に通信部を備え、お互いに発光パターンを認識、徐々に同期させることも可能である。
【０１２１】
［付記１７］
上記旋回室は、内部に発光部を備えており、
上記旋回室を浮遊旋回する上記旋回体が、上記発光部の光を遮光する、
付記１４から１６のいずれか１項に記載の照明装置。
【０１２２】
旋回体は、光源を遮光する素材でできており、観測者から見て光源を旋回しながら遮光するように動き、観測者は旋回体の影を捉えることができる。また、複数の旋回体を使うことで、漏れ出る光を演出することも可能となる。この時、旋回体が不規則に揺動、旋回するので、漏れる光も不均一になり、木漏れ日に似た不規則なゆらぎを提供できる。
【０１２３】
［付記１８］
付記１４から１７のいずれか１項に記載の照明装置を備えた、
眼球運動治療器または光治療器。
【０１２４】
［付記１９］
付記９から１３のいずれか１項に記載の発音装置、あるいは、付記１４から１７のいずれか１項に記載の照明装置を備えた、
小児用玩具または愛玩動物用玩具。
【０１２５】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１２６】
１，１Ａ，１Ｂ，１Ｃ，１Ｄ，１Ｆ，１Ｇ，１Ｈ，１Ｊ  集塵装置（発音装置、照明装置）、１０  本体、１１  筒状部、１２  吸込口、１３  旋回流生成部、１４  旋回室、１４Ｐ  突起、１４ａ  入口部、１４ｂ  出口部、１５  仕切部、１６  テーパー部、１７  静翼部、１８  吹出口、１９  集塵部、２０  駆動源、２１  羽根車、２２，２２Ａ  静電気発生部、２３，２３Ａ，２３Ｂ，２３Ｃ，２３Ｄ  吸着体（発音体、旋回体）、２３ｍ  外殻体、２３ｎ  小片、２４  電圧印加装置、２５  打鳴部、２５ｍ  固定部、２６ｍ  音板、２６ｎ  音棒、２８ａ，２８ｓ  発電部、２８ｂ  制御部、２８ｃ  発音部、２８ｔ  発光部、２９  光源、ＡＲ１，ＡＲ２  矢印。
【図１】
0006633417.tif 000002
【図２】
0006633417.tif 000003
【図３】
0006633417.tif 000004
【図４】
0006633417.tif 000005
【図５】
0006633417.tif 000006
【図６】
0006633417.tif 000007
【図７】
0006633417.tif 000008
【図８】
0006633417.tif 000009
【図９】
0006633417.tif 000010
【図１０】
0006633417.tif 000011
【図１１】
0006633417.tif 000012
【図１２】
0006633417.tif 000013
【図１３】
0006633417.tif 000014
【図１４】
0006633417.tif 000015
【図１５】
0006633417.tif 000016
【図１６】
0006633417.tif 000017
【図１７】
0006633417.tif 000018
【図１８】
0006633417.tif 000019
【図１９】
0006633417.tif 000020
【図２０】
0006633417.tif 000021
【図２１】
0006633417.tif 000022
【図２２】
0006633417.tif 000023
【図２３】
0006633417.tif 000024
【図２４】
0006633417.tif 000025
【図２５】
0006633417.tif 000026
【図２６】
0006633417.tif 000027